(57)【要約】【課題】拡散の質及び嗅覚的品質が改善された、圧電型香料拡散器に実装された、超寿命の新規な製剤を提供する。【解決手段】（A）容器に入れられた芳香性組成物であって、前記組成物は液体であり、且つ生理学的に許容される媒質中に、（i）1乃至90質量％（好ましくは5乃至30質量%）の芳香性濃縮物；（ii）1未満の密度を有する、前記芳香性濃縮物のための1乃至98.5質量％の少なくとも一つの不揮発性溶媒；（iii）少なくとも0.5乃至50質量%の、前記香料のための少なくとも一つの揮発性溶媒；を含む組成物（前記組成物は8mPa・s未満の粘度を有し、この量は組成物の全重量に対して定義される）；（B）前記液体化粧品組成物が入った容器を含む噴霧装置であり、この芳香性組成物を液滴の形態で噴霧することを可能にする圧電型噴霧機構を備えた装置；を含むアッセンブリを提供する。【選択図】なし【特許請求の範囲】
【請求項１】
（A）容器に入れられた芳香性組成物であって、前記組成物は液体であり、且つ生理学的に許容される媒質中に、
（i）1乃至90質量％（好ましくは5乃至30質量%）の芳香性濃縮物；
（ii）1未満の密度を有する、前記芳香性濃縮物のための1乃至98.5質量％の少なくとも一つの不揮発性溶媒；
（iii）少なくとも0.5乃至50質量%の、前記香料のための少なくとも一つの揮発性溶媒；
を含む組成物（前記組成物は8mPa・s未満の粘度を有し、この量は組成物の全重量に対して定義される）；
（B）前記液体化粧品組成物が入った容器を含む噴霧装置であり、この芳香性組成物を液滴の形態で噴霧することを可能にする圧電型噴霧機構を備えた装置；
を含むアッセンブリ。
【請求項２】
噴霧機構を備えた容器が、
・有孔膜（前記膜の孔は容器の内部を外部環境と接続している）；
・圧電型変換器；
・容器中に入れた液体化粧品組成物を前記膜の内側表面と接触させるための手段（前記化粧品組成物は、膜の振動の作用下で孔から膜の外側表面に流れ、ここから液滴の形態で現れる）；
を含むことを特徴とする、請求項１に記載のアッセンブリ。
【請求項３】
圧電型変換器が、前記膜を振動させることを特徴とする、請求項２に記載のアッセンブリ。
【請求項４】
少なくとも部分的に圧電性物質から作られたリング及びこのリングによって振動させられる有孔膜を有する圧電型噴霧装置であって、この装置内には前記有孔膜がクランプによってリング中に保持され、噴霧しようとする製品を有孔膜に供給するための容器を有するものである圧電型装置を含む、請求項１乃至３のいずれか一項に記載のアッセンブリ。
【請求項５】
振動励起部材を備えた圧電型噴霧装置及びこの装置に受容されたカートリッジを含み、振動励起部材と接触する変形可能な壁の領域の軸方向に、一方の側では振動励起部材と接触する変形可能な壁によって区切られ、別の側では製品の液滴がこれを通って噴出する有孔グリッドによって区切られた加圧チャンバを含み、振動励起部材が、カートリッジを受容するハウジングに固定されていてよい、請求項１乃至３のいずれか一項に記載のアッセンブリ。
【請求項６】
揮発性溶媒が、C1-C5低級モノアルコール類から選択され、特にエタノールである、請求項１乃至３のいずれか一項に記載のアッセンブリ。
【請求項７】
揮発性溶媒の粘度が、0.5乃至3mPa・sの範囲である、請求項１乃至６のいずれか一項に記載のアッセンブリ。
【請求項８】
揮発性溶媒の濃度が、0.5乃至25質量％、更に一層好ましくは、0.5乃至16質量％の範囲である、請求項１乃至７のいずれか一項に記載のアッセンブリ。
【請求項９】
液体芳香性組成物の粘度が、0.5乃至8 mPa・sである、請求項１乃至７のいずれか一項に記載のアッセンブリ。
【請求項１０】
揮発性溶媒の濃度が、0.5乃至25質量％、更に一層好ましくは、0.5乃至15質量％の範囲である、請求項８に記載のアッセンブリ。
【請求項１１】
香料のための不揮発性溶媒が、好ましくはエステル類、エーテル類、ポリオール類、及び脂肪アルコール類、特に、3-メトキシ-3-メチル-1-ブタノール及びイソピロリルミリステートから選択される、請求項１乃至１０のいずれか一項に記載のアッセンブリ。
【請求項１２】
香料のための不揮発性溶媒の粘度が、5乃至120mPa・sである、請求項１乃至１１のいずれか一項に記載のアッセンブリ。
【請求項１３】
噴霧装置中に入れられた液体組成物が、オー・フレッシュ（スプラッシュ）、オー・ド・トワレ、オー・ド・パルファム、エクストラ・ド・パルファム（香料抽出物）、アフターシェーブローション、オー・ド・ソワン（スキンケア水）、または家庭用芳香剤の形態である、請求項１乃至１２のいずれか一項に記載のアッセンブリ。
【請求項１４】
請求項１乃至１３のいずれか一項に定義される装置を利用して芳香性組成物を噴霧する少なくとも一つの工程を含む、ヒトのケラチン物質、特に皮膚、唇、髪、頭皮、爪の芳香付け方法。
【請求項１５】
請求項１乃至１３のいずれか一項に定義される装置を利用して芳香性組成物を噴霧する少なくとも一つの工程を含む、周囲空気の芳香付け方法。
【発明の詳細な説明】
【技術分野】
【０００１】
本発明の一つの主題は、それ自体が少なくとも一つの芳香性濃縮物、一つの不揮発性溶媒、及び揮発性溶媒を含む芳香性液体組成物を含む、圧電型の噴霧装置である。
【背景技術】
【０００２】
芳香性濃縮物は、着香物質の混合物である。これは天然成分と合成成分との混合物に該当する。
【０００３】
芳香性濃縮物は、同時に及び/又は連続して認識され、且つ、香料製造者が通常三つのカテゴリー：
ヘッドノート
ハートノート
ベースノート
に従って分類する、多数の臭気を含む。この分類は、各成分の揮発性に従って行われる。
【０００４】
ヘッドノートは、最も揮発性であり、一般的に、爽やかな、軽い、グリーン系及びフルーツ系の香りである。これはその製品の最初の嗅覚印象に該当し、購買行動に関与する。その揮発性は非常に高く、その存在は上限をおよそ30分として継続する。
【０００５】
ハートノートは、揮発性に関しては中間の香りに該当し、ヘッドノートの後に現れ、その香料の中核を構成し、一日を通して強く香りが認識され、且つ、たとえ総合的な固有性を作り出すのは三角の三つの部分の相乗作用であるとしてもその香料の主な固有性を構成する。
【０００６】
ベースノートは、その香料を際立たせる重い香りである。これは、ヘッドノートとハートノートとを安定化させることができる。これは、その香料にとっての確固としたベースを作り出す。これは、アンバー、ジャコウ、ウッディ、またはバルサム香料を含んでよい。これらの香りは、あまり揮発性でなく、5時間超継続しうる。これは衣服の生地について幾日も継続する香りに該当する。
【０００７】
芳香性濃縮物が正確な嗅三角に従って製造された時点で、これは一般的にアルコール性または水性―アルコール性の溶液に入れられて香料をもたらす。
【０００８】
臭いの質は重要な嗜好基準であるが、別のいっそう技術的な基準、例えば拡散、強度、及び持続性（persistence and tenacity）が考慮されるべきである。
【０００９】
人は常に、強度な且つ／または不快な臭いを隠し、且つ良い臭いを与えるために、自分自身に芳香付けしようとし、自身の周囲の物または自分のいる場所に芳香付けしようとしてきた。
【００１０】
香料は、様々な支持体に適用される。
1)      化粧品中に：例えば身体衛生用（シャワーゲル、シャンプー等）、香料製品（オー・フレッシュ（スプラッシュ）、オー・ド・トワレ、オー・ド・パルファム、エクストラ（抽出物）、顔及び身体用のケア製品、並びに芳香付き製品、メイクアップ）；
2)      機能性芳香剤（洗剤及び家庭用芳香剤）に、すべからく芳香に寄与する製品をもたらすため。
【００１１】
様々な手段により、皮膚または別の支持体、例えば消臭スプレーについては周囲の空気に、芳香を付着させることができる。
【００１２】
香料は、一般的には、オー・ド・トワレについてはポンプボトル、消臭剤または洗剤香料については推進剤ガスを利用する。
【００１３】
化粧品については、これはベース自体であって、皮膚への適用の際に芳香をつける、例えばクリーム、乳剤、または凝縮物（concretes）である。機能性芳香剤及び家庭用芳香剤は、蝋燭、線香、芳香付き陶器、芳香付きブーケ、及び香料拡散器に関する。
【００１４】
「プラグイン」として既知である電動拡散器が、直接電源につながる一方、技術的には、「可動性」の利点のために電池を使用して作動するが、特に香りの放射の質の点で、美的及び嗅覚的に大幅に優れた微細噴霧をもたらす、圧電型の拡散器がますます提唱されている。この後者のシステムは、その粘度が適当であれば、多数の香料もしくは化粧品製品に使用することができる。
【００１５】
芳香性組成物を分散させることが可能な、多数の圧電型拡散器が提唱されてきた。この方法は、多孔性のコンシステンシーの、例えば貫通孔が設けられたセラミック膜を振動させる工程を本質として、前記工程によって、この点まで輸送された芳香性組成物を芯拡散により微細液滴の形態にする。製品を微細な液滴の霧の形態で分散させるために、振動するプレートを使用することは、文献、WO03/066115、WO00/53337、US5,518,179、WO02/089861、WO06/066671、WO07/054920により既知である。これらの文献に記載された装置は、液体製品容器及び製品の通過のための一つ以上の開口部を設けた壁を含む噴出システムを含む。変形として、分配開口部が設けられた壁に相対する壁に設けられた圧電部材を含む装置が、文献WO02/068128からも既知である。圧電部材は、電場の作用下で変形すると、壁を振動させ、製品が開口部を通して微細な液滴の形態で噴出されるように設けられている。これらの装置では、製品は、製品容器中に浸される反復芯によって壁の開口部に運ばれる。
【００１６】
圧電型の香料拡散器は、特許出願WO00/47335により知られ、これには、拡散の出力を最適化し、且つ装置に電力供給する電池の消費を最小限にするために、10cps未満の粘度を有し、且つ20乃至35dyn/cmの表面張力を有する液体芳香性組成物が含まれる。
【００１７】
これらのタイプの装置に存在する芳香性製剤は、一般的に、揮発性有機化合物（VOCs）を含む芳香性濃縮物、前記香料のための少なくとも一つの溶媒芳香性濃縮物を含み、前記液体組成物の粘度は、前記香料を拡散させるために適合される。
【００１８】
圧電型香料拡散器は、
・装置の表面上またはその支持体上への液滴の落下をもたらす、「フォールアウト」として既知の現象；
・装置の詰まりもしくは閉塞；
・（「シュッ」とする（”pshitt”））装置によって発生する気化組成物の霧の高さ及び体積であって、消費者にとって視覚的に不快であるもの；
・製品の寿命に関係する、芳香性溶液のその容器またはカートリッジからの未制御蒸発であって、消費者にとって不十分であるもの；及び
・使用される溶媒が所望の香りに影響する臭いを生じうること；
等の、その有害な作用を避けることまたは少なくとも低減することが望ましい、幾つかの欠点をもたらしうる。
【先行技術文献】
【特許文献】
【００１９】
【特許文献１】WO03/066115
【特許文献２】WO00/53337
【特許文献３】US5,518,179
【特許文献４】WO02/089861
【特許文献５】WO06/066671
【特許文献６】WO07/054920
【特許文献７】WO02/068128
【特許文献８】WO00/47335
【特許文献９】WO95/15822
【特許文献１０】WO93/10910
【特許文献１１】US5,487,378
【特許文献１２】FR-A-2665572
【特許文献１３】US4,533,082
【特許文献１４】US5518179
【特許文献１５】US6113001
【特許文献１６】WO06/066671
【特許文献１７】WO06/125677
【特許文献１８】US4702418
【発明の概要】
【発明が解決しようとする課題】
【００２０】
然るに、拡散の質及び嗅覚的品質が改善された、圧電型香料拡散器に実装された新規な製剤、並びに前述の欠点を伴わない製品の長寿命がさらに求められている。
【課題を解決するための手段】
【００２１】
多数の研究の間に、出願人は、驚くべきことに、この目的が、圧電型の噴霧装置において、生理学的に許容される媒質中に、
（i）1乃至90質量％（好ましくは5乃至30質量%）の芳香性濃縮物；
（ii）1未満の密度を有する、前記芳香性濃縮物のための1乃至98.5質量％の少なくとも一つの不揮発性溶媒；
（iii）少なくとも0.5乃至50質量%の少なくとも一つの揮発性溶媒；
を含む液体組成物であって、8mPa.s.以下の粘度を有する組成物を使用することによって達成されうることを見出した。
【００２２】
この発見が本発明の基礎である。
したがって、本発明の主題の一つは、
（A）容器に入れられた芳香性組成物であって、前記組成物は液体であり、且つ生理学的に許容される媒質中に、
（i）1乃至90質量％（好ましくは5乃至30質量%）の芳香性濃縮物；
（ii）1未満の密度を有する、前記芳香性濃縮物のための1乃至98.5質量％の少なくとも一つの不揮発性溶媒；
（iii）少なくとも0.5乃至50質量%の、前記香料のための少なくとも一つの揮発性溶媒；
を含む組成物；
前記組成物は8mPa・s未満の粘度を有し；この量は組成物の全重量に対して定義され；
（B）前記液体化粧品組成物が入った容器を含む噴霧装置であり、この芳香性組成物を液滴の形態で噴霧することを可能にする圧電型噴霧機構を備えた装置；
を含むアッセンブリである。
【００２３】
本発明の別の主題は、前述の装置を用いて芳香性組成物を噴霧する少なくとも一つの工程を含む、ヒトのケラチン物質、特に皮膚、唇、髪、頭皮、爪に芳香付けする方法である。
【００２４】
本発明の別の主題は、前述の装置を用いて芳香性組成物を噴霧する少なくとも一つの工程を含む、周囲の空気を芳香付けする方法である。
【図面の簡単な説明】
【００２５】
【図１】図１は、経時的なアルコールの蒸発量（％）を示す図である。
【発明を実施するための形態】
【００２６】
「芳香性組成物」なる表現は、あらゆる組成の、純粋濃縮物、溶媒、及び当該組成物の保存のために必要な添加剤の混合物を意味すると解される。
【００２７】
「芳香性濃縮物」なる表現は、その単純形態であるかまたは混合物の形態である、あらゆる香り付き物質を意味すると解され、前記二つの可能な形態は、天然物質の変換のため、且つ／又は混合物を得るために必要な溶媒を含む。支持体に適用された芳香性濃縮物は、芳香性組成物をもたらす。この支持体は、化粧品、皮膚科用、アルコール性、水性―アルコール性の、あるいはこれらの組み合わせの溶媒であってよい。
【００２８】
「揮発性溶媒」なる表現は、293.15Kにて0.01kPa以上、もしくは0.1mmHgより大なる蒸気圧を有する芳香性濃縮物のためのあらゆる溶媒を意味すると解される。
【００２９】
「揮発性有機化合物」なる表現は、293.15Kにて0.01kPa以上、もしくは0.1mmHgより大なる蒸気圧を有するあらゆる有機化合物を意味すると解される。
【００３０】
前記組成物の粘度は、20℃にて、60mmの直径、2°の角度、及び剪断速度200s-1でのサンドブラストコーティングを有するスピンドルを備えたHAAKE Rheostress 600機を使用して測定される。
【００３１】
「生理学的に許容される媒質」なる表現は、本発明の組成物中の、非毒性であり、且つ皮膚、顔、唇、爪、髪、頭皮、を含むヒトのケラチン物質に適用することができ、あるいはその環境に、周囲の空気に拡散させることができる媒質を意味すると解される。
【００３２】
（圧電型噴霧装置）
「圧電型噴霧システム」なる表現は、本発明の意味においては、高周波電気シグナルによって励起される圧電性物質（変換器）によって生み出されるエネルギーである、適当な周波数及び電力の超音波エネルギーの作用下で液体を霧状にするシステムを意味すると解される。
【００３３】
本発明の好ましい一実施態様によれば、圧電型噴霧装置は、
・有孔膜（前記膜の孔は容器の内部を外部環境と接続している）；
・前記膜を振動させるアクチュエーター；
・容器中に入れた液体化粧品組成物を前記膜の内側表面と接触させるための手段（前記化粧品組成物は、膜の振動の作用下で孔から膜の外側表面に流れ、ここから液滴の形態で現れる）；
を含んでよい。
【００３４】
膜の孔は、好ましくは逆のコニシティ、すなわち容器の内部に面した内側表面よりも、外部環境に面した膜の外側表面においてより大きな断面積を有する。
【００３５】
噴霧装置は、特許出願WO95/15822に記載された圧力差手段をさらに含んでもよく、これは膜の内側表面に接触する液体に減圧をもたらす。減圧は、圧力ゼロから、組成物と接触する膜の孔から、空気が吸い込まれる圧力まで、異なってよい。
【００３６】
好ましくは、膜の外側表面の孔は、互いに接触しない。
【００３７】
好ましくは、アクチュエーターは、圧電型アクチュエーター、例えば20kHz乃至7MHzの範囲をとりうる周波数帯で膜を振動させられるように設計されたものである。圧電型アクチュエーターの操作に必要なエネルギーは、任意に電子回路に接続してよい発電機、例えば電池、光電池を利用して得てよい。
【００３８】
前述の噴霧装置においては、液体化粧品組成物を膜の表面に運搬するための手段は、毛細管供給機構、あるいはまた気泡発生供給機構、あるいはまた蠕動性、隔膜、ピストン、またはギアタイプのポンプを含んでよい。こうした機構は、例えば国際特許出願WO95/15822に記載されている。
【００３９】
本発明の特段の一実施態様によれば、全ての孔は逆コニシティーを有するか、逆に膜が通常コニシティーの孔をさらに含む。
【００４０】
「通常コニシティーの孔」なる表現は、本発明の意味内においては、容器の内部に面した内側表面よりも、外部環境に面した膜の外側表面においてより小さな断面積を有する孔を意味すると解される。
【００４１】
通常コニシティーの孔が存在する場合には、これらは好ましくは逆コニシティーの孔の周囲及び外側に位置する。
【００４２】
液体化粧品組成物を膜の表面に輸送する手段は、前記組成物を前記膜の内側表面に輸送するために設計されているか、または逆に前記組成物を前記膜の外側表面に輸送するために設計されていてよい。噴霧装置のこうした変形は、例えば、国際特許出願WO95/15822に記載されている。
【００４３】
例として、膜を、70μmの厚さを有し、且つ複数の孔を有する電鋳ニッケルの直径8mmの円形ディスクから形成してよい。前記孔は、外部環境に面してはその直径が膜の外側表面では4乃至150μmの範囲をとる、円形ディスクの形状の断面積を有してよく、容器の内側に面した内側表面では、その直径が2乃至50μm、例えば10乃至20μmの範囲の直径である円形ディスクの形状の断面積を有してよい。
【００４４】
装置の使用中、化粧品組成物は、液滴の形態で現れ、その平均直径は好ましくは20乃至100μm、更にいっそう好ましくは30乃至60μmである。
【００４５】
この装置に該当する技術は、特に、特許出願WO93/10910、US5,487,378、FR-A-2665572、US4,533,082、US5518179、US6113001、WO06/066671に記載されている。
【００４６】
芳香性組成物の拡散のためには、拡散させようとする製品を入れたカートリッジを別の製品を入れた別のカートリッジに容易に交換できるアッセンブリを入手すること、一方では大スケールでの供給に適合するコストで製造されるカートリッジが入手できることが望ましいことがわかる。
【００４７】
本発明の特段の一態様によれば、WO06/125677に開示される噴霧アッセンブリを使用することができる。これは、少なくとも部分的に圧電性物質から作られたリング及びこのリングによって振動させられる有孔膜を有する噴霧装置であって、この装置内には、前記有孔膜がクランプによってリング中に保持されており、前記圧電型装置は噴霧しようとする製品を有孔膜に供給するための容器を有する。
【００４８】
本発明の別の特段の態様によれば、US4702418に開示されるものなどの噴霧アッセンブリを使用することができる。このアッセンブリは、振動励起部材を備えた装置及び前記装置に受容されたカートリッジを備え、振動励起部材と接触する変形可能な壁の領域の軸方向に、一方の側では振動励起部材と接触する変形可能な壁によって区切られ、別の側では製品の液滴がこれを通って噴出する有孔グリッドによって区切られた加圧チャンバを含む。振動励起部材は、カートリッジを受容するハウジングに固定されていてよい。
【００４９】
（芳香性濃縮物）
本発明によって使用される芳香性濃縮物中においては、本発明の組成物中に、天然または合成由来の香料並びにこれらの混合物を使用することができる。天然由来の香料としては、例えば、花（ユリ、ラベンダー、バラ、ジャスミン、イランイラン）、茎、及び葉（パチョリ、ゼラニウム、プチグレン）、果実（コリアンダー、アニスシード、クミン、ジュニパー）、果皮（ベルガモット、レモン、オレンジ）、根（アンゼリカ、セロリ、カルダモン、アヤメ、ショウブ）、木（松の木、白檀、ユソウボク、シーダー、ローズウッド）、ハーブ、草（タラゴン、レモングラス、セージ、タイム）、針葉及び枝（トウヒ、モミ、松、ハイマツ）、樹脂及びバルサム（ガルバナム、エレミ、ベンゾイン樹脂、ミルラ、オリバナム、オポパナクス）の抽出物を挙げてよい。
【００５０】
合成由来の芳香性物質としては、例えばエステル、エーテル、アルデヒド、ケトン、芳香族アルコール、及び炭化水素タイプの化合物を挙げてよい。
【００５１】
エステル類としては、ベンジルアセテート、ベンジルベンゾエート、フェノキシエチルイソブチレート、p-tert-ブチルシクロヘキシルアセテート、シトロネリルアセテート、シトロネリルホルミエート、ゼラニルアセテート、リナリルアセテート、ジメチルベンジルカルビニルアセテート、フェニルエチルアセテート、リナリルベンゾエート、ベンジルホルミエート、エチルメチルフェニルグリシネート、アルキルシクロヘキシルプロピオネート、スチラリルプロピオネート、及びベンジルサリチレートを挙げてよい。
【００５２】
エーテル類としては、ベンジルエチルエーテルを挙げてよい。
【００５３】
アルデヒド類としては、例えば8乃至18の炭素原子を含む直鎖状アルカン類、シトラール、シトロネラル、シトロネリルオキシアセトアルデヒド、シクラメンアルデヒド、ヒドロキシシトロネラル、リリアル、及びブルゲオナールを挙げてよい。
【００５４】
ケトン類としては、例えばイオノン類、例えばアルファ-イソメチルイオノン、及びメチルセドリルケトンを挙げてよい。
【００５５】
芳香族、特にテルペン性アルコール類の中では、アネトール、シトロネロール、オイゲノール、イソオイゲノール、ゲラニオール、リナロール、フェニルエチルアルコール、及びテルピネオールを挙げてよい。
【００５６】
炭化水素類としては、特にテルペン類、例えばメントール、ネロール、及びリモネンを挙げてよい。
【００５７】
さらにまた、精油、芳香成分、例えばセージ、カモミール、クローブ、バーム、ミント、シナモンリーフ、ライムリーフ、ジュニパー、ベチバー、オリバナム、ガルバナム、ラブダナム、及びラベンダーのオイルを使用することもできる。
【００５８】
好ましくは、芳香性物質としては、ベルガモット、ジヒドロミルセノール、リリアル、ライアル、シトロネロール、フェニルエチルアルコール、アルファ-ヘキシルシンナムアルデヒド、ゲラニオール、ベンジルアセトン、シクラメンアルデヒド、リナロール、アンブロキサン、インドール、ヘディオン、サンデリスのオイル、レモン、マンデリン、及びオレンジのオイル、アリルアミングリコレート、シクロベルタル、ラベンダーオイル、セージオイル、ベータ-ダマスコン、ゼラニウムオイル、シクロヘキシルサリチレート、フェニル酢酸、ゲラニルアセテート、ベンジルアセテート、ローズオキサイドが、単独でまたは混合物として使用される。
【００５９】
本発明の好ましい一実施態様によれば、様々な芳香性物質の混合物が使用され、これらはその通常の相乗作用により、使用者にとって快適な香りを発生する。既知の嗅覚的香りの中では、例えばヘスペライド香料、芳香剤、フローラル香料、ジャコウ、フルーツ系香料、スパイス類、東洋系香料、海洋香料、水の香り、シプレー香料、ウッド系香料、フゼア類、及びこれらの混合物を挙げてよい。
【００６０】
芳香性組成物の粘度は、8mPa・s以下であり、且つその適用（皮膚または周囲空気）によって変化する。これは、好ましくは1乃至8mPa・sの範囲である。これは、20℃にて、60mmの直径、2°の角度、及び剪断速度200s-1でのサンドブラストコーティングを有するスピンドルを備えたHAAKE Rheostress 600機を使用して測定される。
【００６１】
（香料のための不揮発性溶媒）
本発明による不揮発性溶媒は、好ましくはエステル類、エーテル類、ポリオール類、及び脂肪アルコール類から選択される。
【００６２】
その粘度は、好ましくは1乃至120mPa・sの範囲である。これは、20℃にて、60mmの直径、2°の角度、及び剪断速度200s-1でのサンドブラストコーティングを有するスピンドルを備えたHAAKE Rheostress 600機を使用して測定される。
【００６３】
その密度は1未満である。これは、20℃にて、METTLER TOLEDO DE 45密度計を使用して測定可能である。
【００６４】
不揮発性溶媒の例として、2-オクチルドデシルネオペンタノエート、イソデシルネオペンタノエート、及びジカプリリルエーテルを挙げてよい。
【００６５】
特に、3-メトキシ-3-メチル-1-ブタノール及びイソプロピルミリステートが使用される。  
【００６６】
（揮発性溶媒）
本発明による揮発性溶媒は、好ましくは揮発性アルコール類から選択される。
【００６７】
「揮発性アルコール」なる表現は、少なくとも一つのアルコール官能基を含み、20℃での蒸気圧が17.5mmHgより大なるあらゆる化合物を意味すると解される。
【００６８】
本発明による揮発性アルコールは、好ましくはC1-C5低級モノアルコール類、例えばメタノール、エタノール、プロパノール、イソプロパノール、n-ブタノール、イソブタノール、tert-ブタノールから選択され、特にエタノールである。その粘度は、好ましくは0.5乃至3mPa・sの範囲である。これは、20℃にて、60mmの直径、2°の角度、及び剪断速度200s-1でのサンドブラストコーティングを有するスピンドルを備えたHAAKE Rheostress 600機を使用して測定される。
【００６９】
揮発性溶媒の濃度は、当該組成物の全重量に対して0.5乃至50質量％である。0.5質量%未満では、香料の拡散は達成されえない。より好ましくは、これは0.5乃至25質量％、更に一層好ましくは、0.5乃至16質量％の範囲である。
【００７０】
（添加剤）
本発明の組成物は、特に酸化防止剤、UVサンスクリーン、安定化剤、染料、保存料（例えばフェノキシエタノール及びパラベン）、殺菌剤、あるいはこれらの混合物から選択される、香料の分野で通常使用されるあらゆる添加剤を更に含んでよい。
【００７１】
酸化防止剤の中では、例えばBHA（tert-ブチル-4-ヒドロキシアニソール）、BHT（2,6-ジ-tert-ブチル-p-クレゾール）、トコフェロール類、例えばビタミンE及びその誘導体、例えばトコフェリルアセテートを挙げてよい。
【００７２】
本発明による組成物は、特に少なくとも一つの染料、特に脂溶性染料及び水溶性染料を含んでよい。
【００７３】
可溶性染料は、例えば、カラメル、イエロー5、アシッドブルー9／ブルー1、グリーン5、グリーン3／ファストグリーンFCF3、オレンジ4、レッド4／フードレッド1、イエロー6、アシッドレッド33／フードレッド12、レッド40、コチニールカルミン（CI15850、CI75470）、Ext.ヴァイオレット2、レッド6-7、フェリックフェロシアニド、ウルトラマリン類、アシッドイエロー3／イエロー10、アシッドブルー3、イエロー10である。
【００７４】
脂溶性染料は、例えば、スーダンレッド、D&Cレッド17、D&Cグリーン6、β-カロテン、大豆油、スーダンブラウン、D&Cイエロー11、D&Cヴァイオレット2、D&Cオレンジ5、キノリンイエロー、アナトーである。
【００７５】
然るに、本発明による組成物は、オー・フレッシュ（スプラッシュ）、オー・ド・トワレ、オー・ド・パルファム、芳香性濃縮物を高パーセンテージで含むエクストラ、アフターシェーブローション、オー・ド・ソワン（スキンケア水）、特に家庭用芳香剤の形態で芳香性組成物を構成する。
【００７６】
本発明の別の主題は、上述の組成物のケラチン物質への適用を含む、ヒトのケラチン物質、特に皮膚、唇、及び外皮に芳香付けする美容方法である。
【００７７】
本発明による組成物は、芳香付け組成物の分野で一般的に使用される既知の方法によって製造されてよい。
【００７８】
本発明による芳香性組成物は、圧電型拡散器に適当なあらゆる生薬形態、特にアルコール性または水性―アルコール性溶液の形態である。これらの組成物は、通常の方法に従って調製される。
【００７９】
本発明は、例示のためであって非制限的に与えられる、以下の実施例を参照してここに説明される。これらの実施例では、特記のない限り、量は質量％で表わされる。以下の芳香付けされた製剤を製造した（量は質量%で示される）。
【００８０】
（実施例１：拡散に対する、組成物の粘度の影響）
下記の製剤＋圧電型アトマイザーアッセンブリ1乃至8を調製した。
【表１】
2010012269.tif 000002
【００８１】
これらの各芳香性製剤は、噴霧しようとする製品を有孔膜に供給するためにカートリッジを含む、特許出願WO06/125677に記載のものなどの圧電型噴霧装置に導入された。前記カートリッジに、試験しようとする組成物1mlを、レイニン・ピペットを用いて充填した。拡散を、10分毎に観察しつつ、連続して30分間行った。得られた拡散の質を、下記の方式で定義した。
【００８２】
【表２】
2010012269.tif 000003
【００８３】
(実施例２：不揮発性溶媒の密度の影響)
下記の製剤＋圧電型アトマイザーアッセンブリ15乃至20を製造した。
密度の測定には、20℃にて、METTLER TOLEDO DE 45密度計が使用される。前記システムによって拡散させようとする溶液の密度の測定から、その溶液に入れた溶媒により、且つその粘度によらずに、グループ分けされた溶液の群が明らかになった。これらの各芳香性溶液を、実施例１のものと同一の圧電型噴霧装置に導入した。カートリッジに、試験しようとする組成物1mlを、レイニン・ピペットを用いて充填した。
装置の周波数は、
拡散時間=300ミリ秒；
中断時間＝1秒；
に設定した。
【００８４】
【表３】
2010012269.tif 000004
【００８５】
これらの結果は、不揮発性溶媒の密度が１より大なる場合には、拡散が行われないことを示す。
【００８６】
（実施例３：揮発性溶媒の影響）
これらの試験は、装置内の溶液の拡散への、揮発性溶媒の添加の影響を示すために行われた。
下記の製剤＋圧電型アトマイザーアッセンブリ9乃至14を製造した。
【００８７】
【表４】
2010012269.tif 000005
【００８８】
これらの各芳香性製剤は、実施例１のものと同一の圧電型噴霧装置に導入された。カートリッジに、試験しようとする組成物1mlを、レイニン・ピペットを用いて充填した。
装置の周波数は、
拡散時間=300ミリ秒；
中断時間＝1秒；
に設定した。
これらの結果は、揮発性溶媒の含量が揮発性溶媒の0.5質量%未満である場合には、拡散が行われないことを示す。
【００８９】
（実施例４：製剤の寿命）
下記の製剤＋圧電型アトマイザーアッセンブリ21乃至25を製造した。
【００９０】
【表５】
2010012269.tif 000006
【００９１】
これらの各芳香性製剤は、実施例１のものと同一の圧電型噴霧装置に導入された。カートリッジに、試験しようとする組成物1mlを、レイニン・ピペットを用いて充填した。
37℃のオーブン中に置かれたカートリッジに導入された溶液の蒸発%が測定された。計量を、下記のT時に行った。
【００９２】
【表６】
2010012269.tif 000007
【００９３】
下記の結果が得られた。
【表７】
2010012269.tif 000008
【００９４】
（結果）
図１のグラフは、曲線が、オーブン試験（37℃）の48時間以降は水平域に達することを示す。このオーブン試験は、常温での一般的な蒸発過程を促進するために行われた。全ての溶液についての最大蒸発が達成された。消費者を欺くことを避けるため、且つ高品質の製品を提供するために、50%の最大蒸発が設定されるならば、これはアルコール50%、好ましくは16%を超えないことが必要であることが観察される
【図１】
2010012269.tif 000009
【外国語明細書】
2010012269.tif 000010
2010012269.tif 000011
2010012269.tif 000012
2010012269.tif 000013
2010012269.tif 000014
2010012269.tif 000015
2010012269.tif 000016
2010012269.tif 000017
2010012269.tif 000018
2010012269.tif 000019
2010012269.tif 000020
2010012269.tif 000021
2010012269.tif 000022
2010012269.tif 000023
2010012269.tif 000024
2010012269.tif 000025
2010012269.tif 000026
2010012269.tif 000027
2010012269.tif 000028
2010012269.tif 000029
2010012269.tif 000030
2010012269.tif 000031
2010012269.tif 000032